(57)【要約】      （修正有）【課題】飲料用ボトルを各種機器類の容器として利用するための治具を提供する。【解決手段】予め連通孔を開けた飲料用ボトルのキャップを用意した上、ボトルキャップ外面側には前記連通孔と連通するネジ孔をフランジ側に形成したフランジ付きのナットを配置し、またボトルキャップ内面側には筒状ボルトを配置した上、前記筒状ボルトをキャップの穴から差込んで前記フランジ付きのナットのネジ孔に螺着することにより、筒状ボルトとフランジ付きのナットとの間にボトルキャップを固着し、前記フランジ付きのナットを各種機器の適所に取り付け、また前記ボトルキャップに飲料用ボトルを取り付けて塗料等の容器として利用することができるようにしたことを特徴とする飲料用ボトルを容器として利用するための治具。【選択図】図２
0003143443.tif 000002
【実用新案登録請求の範囲】
【請求項１】
予め連通孔を開けた飲料用ボトルのキャップを用意した上、ボトルキャップ外面側には前記連通孔と連通するネジ孔をフランジ側に形成したフランジ付きのナットを配置し、またボトルキャップ内面側には筒状ボルトを配置した上、前記筒状ボルトをキャップの穴から差込んで前記フランジ付きのナットのネジ孔に螺着することにより、筒状ボルトとフランジ付きのナットとの間にボトルキャップを固着し、
前記フランジ付きのナットを各種機器の適所に取り付け、また前記ボトルキャップに飲料用ボトルを取り付けて塗料等の容器として利用することができるようにしたことを特徴とする飲料用ボトルを容器として利用するための治具。
【請求項２】
フランジ付きのナットおよび筒状ボルトのそれぞれボトルキャップと接する面に、パッキングを介在させたことを特徴とする請求項1に記載の飲料用ボトルを容器として利用するための治具。
【請求項３】
筒状ボルトの頭部の外周に、滑り止め用の凹凸を形成したことを特徴とする請求項1に記載の飲料用ボトルを容器として利用するための治具。
【考案の詳細な説明】
【技術分野】
【０００１】
この考案は飲料用ボトルを容器として利用するための治具に関し、例えばスプレー塗装機の吸込口に連結し、使用済みの飲料用ボトルをスプレー塗装機に塗料を供給する重力式の塗料カップとして利用するための治具に関する。
【背景技術】
【０００２】
前述のようなスプレー塗装機に塗料を供給する塗料カップとしては、図４に示すような、塗料カップ３１を取り付けるスプレー塗装機４１の供給口４３を本体４２の上部に設けた重力式のもの（特開平７−２８９９５６号公報、特許文献１参照）や、本体４２の下部に設ける吸い上げ式のもの等がある。
そしてこれらの塗料カップ３１は、スプレー塗装機４１に取り付けて塗装を行い、塗装が終って塗料カップ３１内に塗料が残っている場合、塗料カップ３１自体は塗料の保存容器にはならないために塗料カップ３１をスプレー塗装機４１から外し、端部の通気蓋４４を開いて塗料カップ３１内の塗料を保存容器に移し替えて洗浄しなければならなかった。４５は通気口に取り付けたキャップである。
また、塗料カップ３１を別の塗料を使用するために使用する場合にも、塗料カップ３１内の塗料を保存容器に移し替えて洗浄し、別の塗料を充填するための準備をすることが必要となっていた。
【特許文献１】特開平７−２８９９５６号公報
【考案の開示】
【考案が解決しようとする課題】
【０００３】
しかしながら、塗料カップに取り付けた通気蓋を開き、塗料カップ内の塗料を容器に移し替えて洗浄する作業は非常に手数がかかるものであった。
また、このようなスプレー塗装機に塗料を供給する塗料カップに限らず、各種の機器類に塗料や洗浄液、消毒液等を供給するためのカップ類として、ペットボトル類を簡単に取付・交換して利用することができるようにする治具は存在しなかった。
そこでこの考案はペットボトル等の飲料用ボトルを各種機器類の容器として利用するための治具を提供しようとするものである。
【課題を解決するための手段】
【０００４】
すなわちこの考案の飲料用ボトルを容器として利用するための治具は、上述した問題点を解消するため、予め連通孔を開けた飲料用ボトルのキャップを用意した上、ボトルキャップ外面側には前記連通孔と連通するネジ孔をフランジ側に形成したフランジ付きのナットを配置し、またボトルキャップ内面側には筒状ボルトを配置した上、前記筒状ボルトをキャップの穴から差込んで前記フランジ付きのナットのネジ孔に螺着することにより、筒状ボルトとフランジ付きのナットとの間にボトルキャップを固着し、
前記フランジ付きのナットを各種機器の適所に取り付け、また前記ボトルキャップに飲料用ボトルを取り付けて塗料等の容器として利用することができるようにしたことを特徴とするものである。
【０００５】
この考案の飲料用ボトルを容器として利用するための治具は、前記フランジ付きのナットおよび筒状ボルトのそれぞれボトルキャップと接する面に、パッキングを介在させたことをも特徴とするものである。
【０００６】
この考案の飲料用ボトルを容器として利用するための治具は、前記筒状ボルトの頭部の外周に、滑り止め用の凹凸を形成したことをも特徴とするものである。
【考案の効果】
【０００７】
この考案の飲料用ボトルを容器として利用するための治具によれば、ペットボトル等の飲料用ボトルが簡単に各種機器類に塗料や洗浄液、消毒液等を供給するカップ類として利用することができるようになるので、例えば塗料カップとして利用した場合には、簡単に取付・交換が可能なため、塗料カップ中に残った塗料を保存容器に移し替えたり、洗浄したりする手間を解消することができる。
【０００８】
また、透明もしくは半透明のペットボトルを利用した場合には、カップ内の塗料や洗浄液、消毒液等の状況を外部から把握することができる。
またボトルキャップを確実に各種機器類を取り付けることができるので、塗料や洗浄液、消毒液等が洩れて、周囲を汚すことを防止できる。もちろん、パッキングを用いた場合にはより確実に飲料用ボトルを利用したカップ内の塗料や洗浄液、消毒液等の漏れを防止することが可能となる。
【考案を実施するための最良の形態】
【０００９】
以下、この考案の飲料用ボトルを容器として利用するための治具の実施の形態を図面に基づいて詳細に説明する。
図１はこの考案の飲料用ボトルを容器として利用するための治具の１実施例を示す組付け前の状態の側面図、図２は組付けた状態の側面図、図３はボトルキャップに連通孔を開けたペットボトルの斜視図である。
【００１０】
図示の実施形態において、図３に示すように、予め中央に連通孔１３を開けた飲料用ボトル１１のキャップ１２を用意する。
一般に飲料用ボトル１１のキャップ１２は標準化されているので、大小さまざまな大きさの飲料用ボトル１１を用意することができる。
もちろん、ペットボトルに限らず、スチール缶やアルミ缶等のような金属缶等を用いてもよい。
【００１１】
図１および図２はこの考案の飲料用ボトルを容器として利用するための治具を示し、２１はネジ孔２３をフランジ２２側に形成したフランジ付きのナット２１であり、２４は前記ネジ孔２３に挿通してナット２１に固着するための筒状ボルトである。
すなわち、ボトルキャップ１２の内面側に前記筒状ボルト２４を配置し、前記ボトルキャップ１２の連通孔１３から前記筒状ボルト２４を差込んで、ボトルキャップ１２外面側に配置した前記フランジ付きのナット２１のネジ孔２３に螺着するのである。こうすることにより、筒状ボルト２４とフランジ付きのナット２１との間にボトルキャップ１２を確実に固着することができる。
【００１２】
したがって、前記フランジ付きのナット２１を各種機器の適所に設けた供給口に取り付け、また前記ボトルキャップ１２に飲料用ボトル１１を取り付ければ、ペットボトル等の飲料用ボトルを簡単に塗料等の容器として利用することができるようになる。
【００１３】
また、前記筒状ボルト２４の頭部２５の外周に滑り止め用の凹凸２６を形成しておけば、筒状ボルト２４を指で回しやすくなり、したがってナット２１への取り付けを極めて簡単に行なうことができる。
もちろん、前記筒状ボルト２４の頭部２５の外周に滑り止め用の凹凸２６を形成しておけば、プライヤ等の工具を用いても非常に回しやすくなる。
【００１４】
この考案の飲料用ボトルを容器として利用するための治具においては、前記フランジ付きのナット２１および筒状ボルト２４のそれぞれボトルキャップ１２と接する面に、パッキング２７，２７を介在させておけば、ボトルキャップ１２との密閉性をより向上させることができる。
したがって、飲料用ボトル１１に充填した塗料や洗浄液、消毒液等が外部に漏れるおそれもなく、非常に清潔で取り扱いやすい各種機器類を提供することができるようになるのである。
【００１５】
例えばこの考案の飲料用ボトルを容器として利用するための治具を用いて塗装を行うには、予めボトルキャップに治具を組み付けておき、図４に示すスプレー塗装機の供給口にナット２１を取り付け、またボトルキャップ１２に塗料を充填した飲料用ボトル１１を取り付けるだけでよい。
重力式のスプレー塗装機の場合は、飲料用ボトル１１の底に小孔を開ければ、ボトル内部が外気と連通するため飲料用ボトル１１内の塗料は重力でスプレー塗装機の供給口に流入する。これにより、圧縮空気でスプレー塗装機から塗料を噴霧して塗装を行うことができる。
【００１６】
塗装が終ったら、ボトルキャップ１２から飲料用ボトル１１を回して弛め、飲料用ボトル１１をスプレー塗装機の供給口から外す。その際、塗料カップのように飲料用ボトル１１を洗浄する必要がなく、洗浄する際に作業者が手を汚したり、排水に気を使う必要がなくなった。
飲料用ボトル１１に残った塗料は保存容器に移し替えれば、残った塗料を保存することもできる。
【産業上の利用可能性】
【００１７】
この考案によれば、ペットボトル等の飲料用ボトルを簡単に各種機器類に取付・交換することができるようになるので、飲料用ボトルを上述の塗料カップとしてのみならず、洗浄液、消毒液その他の供給用カップ類としても利用することができる。
【図面の簡単な説明】
【００１８】
【図１】この考案の飲料用ボトルを容器として利用するための治具の１実施例を示す組付け前の状態の側面図である。
【図２】組付けた状態の側面図である。
【図３】ボトルキャップに孔を開けたペットボトルの斜視図図である。
【図４】従来の塗料カップを取り付けたスプレー塗装機の側面図である。
【符号の説明】
【００１９】
１１  飲料用ボトル
１２  キャップ
１３  連通孔
２１  ナット
２２  フランジ
２３  ネジ孔
２４  筒状ボルト
２５  頭部
２６  滑り止め用の凹凸
２７  パッキング
【図１】
0003143443.tif 000003
【図２】
0003143443.tif 000004
【図３】
0003143443.tif 000005
【図４】
0003143443.tif 000006